(57)【要約】【課題】複数巻からなるレンタル用ＤＶＤを１冊にまとめて収納して陳列する陳列用ケースを提供する。【解決手段】陳列用ケース１１は、表紙部１２と、表紙部に第１ヒンジ部１３を介して折曲げ自在に連結する背表紙部１４と、背表紙部に第２ヒンジ部１５を介して折曲げ自在に連結する裏表紙部１６と、裏表紙部の自由端１７側に設けられる綴り具１８と、綴り具に綴り込まれる複数枚のＤＶＤ収納用の収納袋１９とからなり、綴り具は、背表紙部の横幅寸法に対応した横幅寸法に形成されている。【選択図】図２
0003199918.tif 000002
【実用新案登録請求の範囲】
【請求項１】
複数巻からなるレンタル用ＤＶＤを１冊にまとめて収納して陳列する陳列用ケースであって、
該陳列用ケースは、表紙部と、該表紙部に第１ヒンジ部を介して折曲げ自在に連結する背表紙部と、該背表紙部に第２ヒンジ部を介して折曲げ自在に連結する裏表紙部と、該裏表紙部の自由端側に設けられる綴り具と、該綴り具に綴り込まれる複数枚のＤＶＤ収納用の収納袋とからなり、
前記綴り具は、前記背表紙部の横幅寸法に対応した横幅寸法に形成されていること
を特徴とする陳列用ケース。
【請求項２】
前記収納袋は、収納するレンタル用ＤＶＤに対応したジャケット又は説明書が収納されると共に、前記レンタル用ＤＶＤを取り出したときに表れるレンタル中の表示カードが収納されていること
を特徴とする請求項１に記載の陳列用ケース。
【請求項３】
前記表紙部、背表紙部、及び／又は裏表紙部の表側には、収納する前記レンタル用ＤＶＤのジャケットを収納する透明なシート部材が配設されていること
を特徴とする請求項１に記載の陳列用ケース。
【考案の詳細な説明】
【技術分野】
【０００１】
本考案は、ドラマシリーズ等の複数巻からなるレンタル用ＤＶＤを１冊にまとめて収納して陳列する陳列用ケースに関するものである。
【背景技術】
【０００２】
従来、レンタル用ＤＶＤは、図７に示す構成の陳列用ケース１に１巻ずつ収納して陳列している。この陳列用ケース１は、ケース本体２と、ケース本体２にヒンジ部３を介して開閉自在に設けられる蓋体４とからなり、上部に横長の開口部５を有し、この開口部５の縁に沿って表示部６を備えた構成である。表示部６は、「レンタル中」の文字が記載されていると共に、図示しないＤＶＤケースの収納時に隠れかつ非収納時に表れるようになっている（特許文献１参照）。
【０００３】
このような構成のレンタル用ＤＶＤの陳列用ケース１は、ＤＶＤケースを陳列用ケース１から取り出したときに「レンタル中」の文字が表れるので、その商品が貸し出されていることが一目で分かる仕組みである。
【先行技術文献】
【特許文献】
【０００４】
【特許文献１】特開２００２−５３１９３号公報
【考案の概要】
【考案が解決しようとする課題】
【０００５】
この従来例の陳列用ケース１においては、上述のように、レンタル用ＤＶＤを１巻ずつ収納して陳列するが、例えば、洋、邦、韓流等のドラマシリーズは、十数巻から数十巻に渡る場合があり、これを１巻ずつ陳列用ケース１に収納して陳列棚に並べると、広い陳列スペースを占有することになる。
【０００６】
この場合、旧作品や人気の低い作品等のような貸出数が少ない作品では、広い陳列スペースを占有する割りには売上げが伸びないこととなり、収益を上げるうえで非常に効率が悪いという問題点を有している。
【０００７】
また、貸出数が少ない作品を陳列しない場合は、貸出し機会を喪失することとなってしまうので不都合がある。
【０００８】
従って、従来例における場合においては、レンタル用ＤＶＤの貸出数、つまり売上高に見合った陳列棚のスペースを占有させて、効率良く収益を上げることに解決しなければならない課題を有している。
【課題を解決するための手段】
【０００９】
前記従来例の課題を解決するための本考案の要旨は、複数巻からなるレンタル用ＤＶＤを１冊にまとめて収納して陳列する陳列用ケースであって、該陳列用ケースは、表紙部と、該表紙部に第１ヒンジ部を介して折曲げ自在に連結する背表紙部と、該背表紙部に第２ヒンジ部を介して折曲げ自在に連結する裏表紙部と、該裏表紙部の自由端側に設けられる綴り具と、該綴り具に綴り込まれる複数枚のＤＶＤ収納用の収納袋とからなり、前記綴り具は、前記背表紙部の横幅寸法に対応した横幅寸法に形成されることである。
【００１０】
また、前記収納袋は、収納するレンタル用ＤＶＤに対応したジャケット又は説明書が収納されると共に、前記レンタル用ＤＶＤを取り出したときに表れるレンタル中の表示カードが収納されていること、；
前記表紙部、背表紙部、及び／又は裏表紙部の表側には、収納する前記レンタル用ＤＶＤのジャケットを収納する透明なシート部材が配設されていること、；
を含むものである。
【考案の効果】
【００１１】
本考案に係る陳列用ケースによれば、複数巻からなるレンタル用ＤＶＤを１冊にまとめて収納して陳列できるので、例えば旧作品等のように貸出数が少ない作品の場合に都合が良く、広い陳列スペースを必要としないで狭い陳列スペースに多数巻を並べることができる。
従って、レンタル用ＤＶＤの貸出数、つまり売上高に見合った陳列棚のスペースを占有させて、効率良く収益を上げることができる。
また、綴り具は、背表紙部の横幅寸法に対応した横幅寸法に形成されていることによって、綴り具と背表紙部とが同一幅に形成されるので、複数冊の陳列用ケースを陳列棚に隣接させて並べたときに、背表紙部側が横に広がったりしないで、整然と並べることができるという種々の優れた効果を奏する。
【００１２】
収納袋は、収納するレンタル用ＤＶＤに対応したジャケット又は説明書が収納されると共に、レンタル用ＤＶＤを取り出したときに表れるレンタル中の表示カードが収納されていることによって、各巻に対応したジャケットや説明書をその場で読むことができる。
また、レンタル用ＤＶＤを取り出すと、「レンタル中」の表示カード表れるので、その巻が貸し出されていることが一目で分かるいう優れた効果を奏する。
【００１３】
表紙部、背表紙部、及び裏表紙部の表側には、収納するレンタル用ＤＶＤのジャケットを収納する透明なシート部材が配設されていることによって、レンタル用ＤＶＤに対応したジャケットを収納できるという優れた効果を奏する。
【図面の簡単な説明】
【００１４】
【図１】本考案に係る陳列用ケース１１の斜視図である。
【図２】本考案に係る陳列用ケース１１を開いた状態の斜視図である。
【図３】本考案に係る陳列用ケース１１を開いた状態の表側の正面図である。
【図４】綴り具１８を示す斜視図である。
【図５】収納袋１９を示す斜視図である。
【図６】複数冊の陳列用ケース１１を陳列棚３０に並べた状態の斜視図である。
【図７】従来例に係る陳列用ケース１の斜視図である。
【考案を実施するための形態】
【００１５】
次に、本発明の実施の形態について図面を参照しながら説明する。まず、図１から図３において、符号１１は陳列用ケースを示し、この陳列用ケース１１は、表紙部１２と、表紙部１２に第１ヒンジ部１３を介して折曲げ自在に連結する背表紙部１４と、背表紙部１４に第２ヒンジ部１５を介して折曲げ自在に連結する裏表紙部１６と、裏表紙部１６の自由端１７側に設けられる綴り具１８と、綴り具１８に綴り込まれる複数枚のＤＶＤ収納用の収納袋１９とから構成される。
【００１６】
表紙部１２と背表紙部１４と裏表紙部１６とは、プラスチックなどの合成樹脂材で一体に形成されており、適度な剛性と弾性とを有している。
【００１７】
表紙部１２及び裏表紙部１６は、その寸法の一例を上げると、それぞれ横幅が１７８ｍｍ程度で、高さが２０５ｍｍ程度であり、長方形状に形成される。
【００１８】
背表紙部１４は、その寸法の一例を上げると、横幅が３３ｍｍ程度で、高さが２０５ｍｍ程度であり、縦長形状に形成される。
【００１９】
第１ヒンジ部１３及び第２ヒンジ部１５は、折り目又は溝状に形成されており、その長さは、表紙部１２、背表紙部１４及び裏表紙部１６の高さと同様であって、それぞれ２０５ｍｍ程度である。
【００２０】
表紙部１２の表側にはその全面に渡って、透明なシート部材２１が配設されている。シート部材２１は、表紙部１２の両端部１２ａ及び底部１２ｂで蒸着又は接着されており、上部２１ａからレンタル用ＤＶＤ２０のジャケット２２が収納できるようになっている。
【００２１】
背表紙部１４の表側にはその全面に渡って、透明なシート部材２３が配設されている。シート部材２３は、背表紙部１４の両端部１４ａ及び底部１４ｂで蒸着又は接着されており、上部２３ａからレンタル用ＤＶＤ２０の表示片２４が収納できるようになっている。
【００２２】
裏表紙部１６の表側には略半分程度に渡って、透明なシート部材２５が配設されている。シート部材２５は、表紙部１６の一端部１６ａ、中央部１６ｂ、及び底部１６ｃで蒸着又は接着されており、上部２５ａからレンタル用ＤＶＤ２０の表示片などが収納できるようになっている。
【００２３】
なお、シート部材２１、２３、２５は、表紙部１２の一方の端部１２ａから背表紙部１４を渡って表紙部１６の中央部１６ｂまで一連に配設してもよい。この場合は、表紙部１２の一方の端部１２ａ及び底部１２ｂと、表紙部１６の中央部１６ｂ及び底部１６ｃとを蒸着又は接着する。
【００２４】
綴り具１８は、図４に示すように、裏表紙部１６の自由端１７側に立設する２本の係止棒２６と、係止棒２６の近傍に設けられる立上がり片２７と、立上がり片２７の端部に折曲げ自在に連結する折曲げ片２８とからなり、折曲げ片２８の内側に設けられる嵌合部２９が係止棒２６の上端部２６ａと嵌合自在に形成されている。
【００２５】
また、綴り具１８は、その横寸法が背表紙部１４の横幅寸法に対応した寸法に形成されている。つまり、綴り具１８と背表紙部１４とが同一幅に形成されるので、複数冊の陳列用ケース１１を陳列棚３０に隣接させて並べたときに、背表紙部１４側が横に広がったりしないで、整然と並べることができる（図６参照）。
【００２６】
収納袋１９は、図５に示すように、透明な合成樹脂材で長方形状に形成されて、上部に開口部３１が設けられており、一端部に２箇所の小孔３２が形成されている。この小孔３２が係止棒２６に綴り込まれる。また、収納袋１９は、５〜１０枚程度が綴り具１８に綴り込まれる。
【００２７】
この収納袋１９は、収納するレンタル用ＤＶＤ２０に対応したジャケット又は説明書３３が収納される。従って、レンタル用ＤＶＤ２０の各巻に対応したジャケットや説明書３３をその場で読むことができる。
【００２８】
また、収納袋１９は、レンタル用ＤＶＤ２０を取り出したときに表れる「レンタル中」の表示カード３４が収納されている。従って、レンタル用ＤＶＤを取り出すと「レンタル中」の表示カード３４表れるので、その巻が貸し出されていることが一目で分かる（図５参照）。
【００２９】
以上のように構成される陳列用ケース１１は、複数巻からなるレンタル用ＤＶＤ２０を１冊にまとめて収納して陳列できるので、広い陳列スペースを必要としないで狭い陳列スペースに多数巻を陳列できる。
従って、旧作品や人気の低い作品等のような貸出数が少ない作品の場合に都合が良く、レンタル用ＤＶＤ２０の貸出数、つまり売上高に見合った陳列棚のスペースを占有させて、効率良く収益を上げることができる。
【符号の説明】
【００３０】
１    陳列用ケース
２    ケース本体
３    ヒンジ部
４    蓋体
５    開口部
６    表示部
１１  陳列用ケース
１２  表紙部
１２ａ端部
１２ｂ底部
１３  第１ヒンジ部
１４  背表紙部
１４ａ両端部
１４ｂ底部
１５  第２ヒンジ部
１６  裏表紙部
１６ａ一端部
１６ｂ中央部
１６ｃ底部
１７  自由端
１８  綴り具
１９  収納袋
２０  レンタル用ＤＶＤ
２１  シート部材
２１ａ上部
２２  ジャケット
２３  シート部材
２３ａ上部
２４  表示片
２５  シート部材
２５ａ上部
２６  係止棒
２６ａ上端部
２７  立上がり片
２８  折曲げ片
２９  嵌合部
３０  陳列棚
３１  開口部
３２  小孔
３３  ジャケット又は説明書
３４  表示カード
【図１】
0003199918.tif 000003
【図２】
0003199918.tif 000004
【図３】
0003199918.tif 000005
【図４】
0003199918.tif 000006
【図５】
0003199918.tif 000007
【図６】
0003199918.tif 000008
【図７】
0003199918.tif 000009